(57)【特許請求の範囲】
【請求項１】
被検者から取得された標準１２誘導心電図の波形を解析する解析手段と、前記波形の解析結果に基づいて、１画面上に又は１枚の用紙上に、心電図解析レポートを作成する作成手段とを有する心電図解析装置であって、
前記解析手段は、
前記波形の解析結果として前記波形の所見を導出し、
前記作成手段は、
前記心電図解析レポート毎に表される心臓の表示態様を前記所見に応じて変更し、
前記心電図解析レポートの所見表示部においては、前記波形の所見と共に、心臓の概観を表す概観図を描画し、前記心電図解析レポートの波形表示部においては、前記波形のうちI誘導、II誘導、III誘導、aVL誘導、aVR誘導及びaVF誘導の波形と組み合わせて、前方から見た心臓の断面を表す前面図を描画し、前記波形のうちV1誘導、V2誘導、V3誘導、V4誘導、V5誘導及びV6誘導の波形と組み合わせて、上方から見た心臓の断面を表す水平面図を描画し、
前記所見表示部における前記概観図、又は前記波形表示部における前記前面図、若しくは前記水平面図において、心臓の内部に存在する異常部位を目立たせるマークであって前記所見に応じて異なるマークとともに心臓を表示する、
ことを特徴とする心電図解析装置。
【請求項２】
被検者から取得された心電図の波形を解析する解析手段と、前記波形の解析結果に基づいて、１画面上に又は１枚の用紙上に、心電図解析レポートを作成する作成手段とを有する心電図解析装置であって、
前記解析手段は、
前記波形の解析結果として前記波形の所見を導出し、
前記作成手段は、
前記心電図解析レポート毎に表される心臓の表示態様を前記所見に応じて変更し、
前記心電図解析レポートの所見表示部においては、前記波形の所見と共に、心臓の概観を表す概観図を描画し、前記心電図解析レポートの波形表示部においては、前記波形のうちＸ軸方向誘導とＹ軸方向誘導の波形と、前方から見た心臓の断面を表す前面図の組み合わせと、前記波形のうちＸ軸方向誘導とＺ軸方向誘導の波形と、上方から見た心臓の断面を表す水平面図の組み合わせと、前記波形のうちＹ軸方向誘導とＺ軸方向誘導の波形と、側方から見た心臓の断面を表す側面図の組み合わせのうち、少なくとも二つ以上の組み合わせを描画し、
前記所見表示部における前記概観図、又は前記波形表示部における前記前面図、前記水平面図、若しくは前記側面図において、心臓の内部に存在する異常部位を目立たせるマークであって前記所見に応じて異なるマークとともに心臓を表示する、
ことを特徴とする心電図解析装置。
【請求項３】
被検者から取得された標準１２誘導心電図の波形を解析する解析機能と、
前記波形の解析結果に基づいて、１画面上に又は１枚の用紙上に、心電図解析レポートを作成する作成機能とをコンピュータに実現させ、
前記解析機能は、
前記波形の解析結果として前記波形の所見を導出し、
前記作成機能は、
前記心電図解析レポート毎に表される心臓の表示態様を前記所見に応じて変更し、
前記心電図解析レポートの所見表示部においては、前記波形の所見と共に、心臓の概観を表す概観図を描画し、前記心電図解析レポートの波形表示部においては、前記波形のうちI誘導、II誘導、III誘導、aVL誘導、aVR誘導及びaVF誘導の波形と組み合わせて、前方から見た心臓の断面を表す前面図を描画し、前記波形のうちV1誘導、V2誘導、V3誘導、V4誘導、V5誘導及びV6誘導の波形と組み合わせて、上方から見た心臓の断面を表す水平面図を描画し、
前記所見表示部における前記概観図、又は前記波形表示部における前記前面図、若しくは前記水平面図において、心臓の内部に存在する異常部位を目立たせるマークであって前記所見に応じて異なるマークとともに心臓を表示する、
ことを特徴とする心電図解析プログラム。
【請求項４】
被検者から取得された心電図の波形を解析する解析機能と、
前記波形の解析結果に基づいて、１画面上に又は１枚の用紙上に、心電図解析レポートを作成する作成機能とをコンピュータに実現させ、
前記解析機能は、
前記波形の解析結果として前記波形の所見を導出し、
前記作成機能は、
前記心電図解析レポート毎に表される心臓の表示態様を前記所見に応じて変更し、
前記心電図解析レポートの所見表示部においては、前記波形の所見と共に、心臓の概観を表す概観図を描画し、前記心電図解析レポートの波形表示部においては、前記波形のうちＸ軸方向誘導とＹ軸方向誘導の波形と、前方から見た心臓の断面を表す前面図の組み合わせと、前記波形のうちＸ軸方向誘導とＺ軸方向誘導の波形と、上方から見た心臓の断面を表す水平面図の組み合わせと、前記波形のうちＹ軸方向誘導とＺ軸方向誘導の波形と、側方から見た心臓の断面を表す側面図の組み合わせのうち、少なくとも二つ以上の組み合わせを描画し、
前記所見表示部における前記概観図、又は前記波形表示部における前記前面図、前記水平面図、若しくは前記側面図において、心臓の内部に存在する異常部位を目立たせるマークであって前記所見に応じて異なるマークとともに心臓を表示する、
ことを特徴とする心電図解析プログラム。
【発明の詳細な説明】
【技術分野】
【０００１】
本発明は、心電図解析装置及び心電図解析プログラムに関する。
【背景技術】
【０００２】
従来、心電図解析レポートとしては、例えば特許文献１に記載されたものがある。この心電図解析レポートには、被検者の個人情報と、解析結果を被検者に分かりやすく伝えるためのマーク等の情報と、取得された心電図波形のうち、ノイズ等の影響が小さい代表的な１心拍分の心電図波形と、解析区間における全心電図波形と、解析結果の説明に適した心臓のイラストとが、同一紙面において表示される。
【特許文献１】特開２００７−１９０２２７号公報
【発明の開示】
【発明が解決しようとする課題】
【０００３】
しかしながら、上記従来の心電図解析レポートで表示される心電図波形は、心起電力の強度の時間的変化を示すいわゆるスカラー心電図である。このため、被検者にとっては勿論のこと、医師にとっても、心臓の状態についての立体的な特徴が見た目には分かりにくく、よって、心電図解析レポートにおいて心電図波形と心臓のイラストとを単に併用するだけで、被検者に心疾患を実体的に把握させるのは容易でない。
【０００４】
本発明は、かかる点に鑑みてなされたもので、心電図波形と心臓のイラスト等とを併用することにより、医師が理解しやすく被検者にも心疾患を実体的に把握させることができる心電図解析装置及び心電図解析プログラムを提供することを目的とする。
【課題を解決するための手段】
【０００６】
本発明の心電図解析装置は、被検者から取得された標準１２誘導心電図の波形を解析する解析手段と、前記波形の解析結果に基づいて、１画面上に又は１枚の用紙上に、心電図解析レポートを作成する作成手段とを有する心電図解析装置であって、前記解析手段は、前記波形の解析結果として前記波形の所見を導出し、前記作成手段は、前記心電図解析レポート毎に表される心臓の表示態様を前記所見に応じて変更し、前記心電図解析レポートの所見表示部においては、前記波形の所見と共に、心臓の概観を表す概観図を描画し、前記心電図解析レポートの波形表示部においては、前記波形のうちI誘導、II誘導、III誘導、aVL誘導、aVR誘導及びaVF誘導の波形と組み合わせて、前方から見た心臓の断面を表す前面図を描画し、前記波形のうちV1誘導、V2誘導、V3誘導、V4誘導、V5誘導及びV6誘導の波形と組み合わせて、上方から見た心臓の断面を表す水平面図を描画し、前記所見表示部における前記概観図、又は前記波形表示部における前記前面図、若しくは前記水平面図において、心臓の内部に存在する異常部位を目立たせるマークであって前記所見に応じて異なるマークとともに心臓を表示する構成を採る。
また、本発明の心電図解析装置は、被検者から取得された心電図の波形を解析する解析手段と、前記波形の解析結果に基づいて、１画面上に又は１枚の用紙上に、心電図解析レポートを作成する作成手段とを有する心電図解析装置であって、前記解析手段は、前記波形の解析結果として前記波形の所見を導出し、前記作成手段は、前記心電図解析レポート毎に表される心臓の表示態様を前記所見に応じて変更し、前記心電図解析レポートの所見表示部においては、前記波形の所見と共に、心臓の概観を表す概観図を描画し、前記心電図解析レポートの波形表示部においては、前記波形のうちＸ軸方向誘導とＹ軸方向誘導の波形と、前方から見た心臓の断面を表す前面図の組み合わせと、前記波形のうちＸ軸方向誘導とＺ軸方向誘導の波形と、上方から見た心臓の断面を表す水平面図の組み合わせと、前記波形のうちＹ軸方向誘導とＺ軸方向誘導の波形と、側方から見た心臓の断面を表す側面図の組み合わせのうち、少なくとも二つ以上の組み合わせを描画し、前記所見表示部における前記概観図、又は前記波形表示部における前記前面図、前記水平面図、若しくは前記側面図において、心臓の内部に存在する異常部位を目立たせるマークであって前記所見に応じて異なるマークとともに心臓を表示する構成を採る。
【０００７】
本発明の心電図解析プログラムは、被検者から取得された標準１２誘導心電図の波形を解析する解析機能と、前記波形の解析結果に基づいて、１画面上に又は１枚の用紙上に、心電図解析レポートを作成する作成機能とをコンピュータに実現させ、前記解析機能は、前記波形の解析結果として前記波形の所見を導出し、前記作成機能は、前記心電図解析レポート毎に表される心臓の表示態様を前記所見に応じて変更し、前記心電図解析レポートの所見表示部においては、前記波形の所見と共に、心臓の概観を表す概観図を描画し、前記心電図解析レポートの波形表示部においては、前記波形のうちI誘導、II誘導、III誘導、aVL誘導、aVR誘導及びaVF誘導の波形と組み合わせて、前方から見た心臓の断面を表す前面図を描画し、前記波形のうちV1誘導、V2誘導、V3誘導、V4誘導、V5誘導及びV6誘導の波形と組み合わせて、上方から見た心臓の断面を表す水平面図を描画し、前記所見表示部における前記概観図、又は前記波形表示部における前記前面図、若しくは前記水平面図において、心臓の内部に存在する異常部位を目立たせるマークであって前記所見に応じて異なるマークとともに心臓を表示するようにした。
また、本発明の心電図解析プログラムは、被検者から取得された心電図の波形を解析する解析機能と、前記波形の解析結果に基づいて、１画面上に又は１枚の用紙上に、心電図解析レポートを作成する作成機能とをコンピュータに実現させ、前記解析機能は、前記波形の解析結果として前記波形の所見を導出し、前記作成機能は、前記心電図解析レポート毎に表される心臓の表示態様を前記所見に応じて変更し、前記心電図解析レポートの所見表示部においては、前記波形の所見と共に、心臓の概観を表す概観図を描画し、前記心電図解析レポートの波形表示部においては、前記波形のうちＸ軸方向誘導とＹ軸方向誘導の波形と、前方から見た心臓の断面を表す前面図の組み合わせと、前記波形のうちＸ軸方向誘導とＺ軸方向誘導の波形と、上方から見た心臓の断面を表す水平面図の組み合わせと、前記波形のうちＹ軸方向誘導とＺ軸方向誘導の波形と、側方から見た心臓の断面を表す側面図の組み合わせのうち、少なくとも二つ以上の組み合わせを描画し、前記所見表示部における前記概観図、又は前記波形表示部における前記前面図、前記水平面図、若しくは前記側面図において、心臓の内部に存在する異常部位を目立たせるマークであって前記所見に応じて異なるマークとともに心臓を表示するようにした。
【発明の効果】
【０００８】
本発明によれば、心電図波形と心臓のイラスト等とを併用することにより、医師が理解しやすく被検者にも心疾患を実体的に把握させることができる心電図解析レポートを提供することができる。
【発明を実施するための最良の形態】
【０００９】
以下、本発明の実施の形態について、図面を用いて詳細に説明する。
【００１０】
図１は、本発明の一実施の形態に係る心電図解析装置の構成を示すブロック図である。
【００１１】
図１において、心電図解析装置１００は、制御部１０１、ディスプレイインタフェース（以下「Ｉ／Ｆ」と略記する）１０２、プリンタＩ／Ｆ１０３、心電計Ｉ／Ｆ１０４及び記憶部１０５を有する。
【００１２】
本発明の解析手段及び作成手段としての制御部１０１は、ＣＰＵ（Central Processing Unit）と、ＣＰＵにより実行する心電図解析プログラムを記憶する記憶装置とにより構成される。制御部１０１は、心電図解析プログラムを実行することにより、後述する心電図レポート作成処理における各ステップを実行する機能を、心電図解析装置１００において実現する。
【００１３】
ディスプレイＩ／Ｆ１０２は、ＬＣＤ（Liquid Crystal Display）やＣＲＴ（Cathode Ray Tube）表示装置等のディスプレイ１２０と心電図解析装置１００とを通信可能に接続するＩ／Ｆであり、ディスプレイ１２０と心電図解析装置１００との間で授受されるデータは、ディスプレイＩ／Ｆ１０２を経由する。
【００１４】
プリンタＩ／Ｆ１０３は、レーザ式やサーマルヘッド式等のプリンタ１３０と心電図解析装置１００とを通信可能に接続するＩ／Ｆであり、プリンタ１３０と心電図解析装置１００との間で授受されるデータは、プリンタＩ／Ｆ１０３を経由する。
【００１５】
心電計Ｉ／Ｆ１０４は、四肢用電極部１４１と胸部用電極部１４２とにより被検者から標準１２誘導心電図を取得する心電計１４０と心電図解析装置１００とを通信可能に接続するＩ／Ｆであり、心電計１４０と心電図解析装置１００との間で授受されるデータは、心電計Ｉ／Ｆ１０４を経由する。
【００１６】
記憶部１０５は、ハードディスクドライブや半導体記憶装置等の記憶装置により構成される。記憶部１０５は、心電図波形の所見を示す所見データと、心臓の概観を表す概観図を示す概観図データと、前方から見た心臓の断面を表す前面図を示す前面図データと、上方から見た心臓の断面を表す水平面図を示す水平面図データと、を記憶する。所見データ、概観図データ、前面図データ及び水平面図データは、別々のテーブルに記憶される。概観図データテーブルに記憶された個々の概観図データは、異なる所見に対応するインデックスを付与されている。前面図データテーブルに記憶された個々の前面図データも、異なる所見に対応するインデックスを付与されている。水平面図データテーブルに記憶された個々の水平面図データも、異なる所見に対応するインデックスを付与されている。なお、以下の説明において、概観図データ、前面図データ及び水平面図データの総称を「心臓イラストデータ」という。
【００１７】
以上、心電図解析装置１００の構成について説明した。なお、本実施の形態では、心電図解析装置１００と心電計１４０とが互いに独立しているが、これらは一体化されていてもよい。
【００１８】
図２は、心電図解析装置１００の制御部１０１により実行される心電図解析レポート作成処理を説明するためのフロー図である。
【００１９】
ステップＳ１０では、解析対象の心電図データ（被検者から取得された標準１２誘導心電図の波形を示すデータ）を、心電計Ｉ／Ｆ１０４を介して心電計１４０から取得する。
【００２０】
ステップＳ２０では、取得した標準１２誘導心電図の波形を解析し、その結果として、波形の所見を導出する。
【００２１】
ステップＳ３０では、解析結果として導出した所見に基づいて、記憶部１０５に記憶された所見データ及び心臓イラストデータを読み出す。
【００２２】
ステップＳ４０では、解析した心電図データ並びに読み出した所見データ及び心臓イラストデータに基づいて、心電図解析レポートを、ディスプレイ１２０の画面上に表示し、或いは、プリンタ１３０によりレポート用紙上に印刷する。所見データに示された所見や、心臓イラストデータに示された概観図、前面図及び水平面図は、画面上又はレポート用紙上の所定の位置にそれぞれ描画される。
【００２３】
以上のようにして、心電図解析レポートが作成される。
【００２４】
図３は、レポート用紙上に印刷された心電図解析レポートの第１の例を示す図である。
【００２５】
心電図解析レポートは、１枚のレポート用紙の表示面（印刷可能な面）１５０に、所見や波形等の、医師から被検者への報告事項を全て表示することができる。
【００２６】
表示面１５０は、所見表示部１６１と波形表示部１６２とを有する。所見表示部１６１は、表示面１５０の上段に、波形表示部１６２は、表示面１５０の下段に、それぞれ配置されている。波形表示部１６２は、左側に四肢誘導波形表示部１６３を有し、右側に胸部誘導波形表示部１６４を有する。
【００２７】
所見表示部１６１は、被検者の個人情報及び所見と共に、心臓のイラストとして概観図１７１ａを表示する。
【００２８】
波形表示部１６２は、被検者から取得された標準１２誘導心電図の波形を主として表示する。
【００２９】
波形表示部１６２の四肢誘導波形表示部１６３は、標準１２誘導心電図の波形のうち、I誘導、II誘導、III誘導、aVL誘導、aVR誘導及びaVF誘導の波形を表示すると共に、これらの波形と組み合わせて、心臓のイラストとして前面図１７２ａを表示する。I誘導、II誘導、III誘導、aVL誘導、aVR誘導及びaVF誘導の各波形は、前面図１７２ａの周囲に配置される。前面図１７２ａを、I誘導、II誘導、III誘導、aVL誘導、aVR誘導及びaVF誘導の波形と組み合わせて表示し、さらにこれらの波形を図示したような電極位置に応じた順番で並置することにより、実際の心臓との位置関係について、波形間にどのような相対的な関係があるかを分かりやすくすることができる。
【００３０】
波形表示部１６２の胸部誘導波形表示部１６４は、標準１２誘導心電図の波形のうち、V1誘導、V2誘導、V3誘導、V4誘導、V5誘導及びV6誘導の波形を表示すると共に、これらの波形と組み合わせて、心臓のイラストとして水平面図１７３ａを表示する。V1誘導、V2誘導、V3誘導、V4誘導、V5誘導及びV6誘導の各波形は、水平面図１７３ａの周囲に配置される。水平面図１７３ａを、V1誘導、V2誘導、V3誘導、V4誘導、V5誘導及びV6誘導の波形と組み合わせて表示し、さらにこれらの波形を図示したような順番で並置することにより、実際の心臓との位置関係について、波形間にどのような相対的な関係があるかを分かりやすくすることができる。
【００３１】
波形表示部１６２は、四肢誘導波形表示部１６３及び胸部誘導波形表示部１６４の下側に、リズム波形１７４を表示し、さらに、リズム波形１７４における心拍のうち、四肢誘導波形表示部１６３及び胸部誘導波形表示部１６４に表示された波形に対応する心拍を示すマーク１７５を表示する。
【００３２】
表示面１５０において、所見表示部１６１と波形表示部１６２とを上下に配置し、さらに波形表示部１６２においては、四肢誘導波形表示部１６３と胸部誘導波形表示部１６４とを左右に並置し、これらの下側の横長部分に横長のリズム波形１７４を配置することにより、報告事項を、１枚の用紙上に収め且つ見やすくすることができる。
【００３３】
なお、ここでは、心電図解析レポートをレポート用紙上に印刷した場合を例にとって説明したが、図３に示したものと同一内容の心電図解析レポートを、ディスプレイ１２０の画面上に、１画面で表示することもできる。
【００３４】
また、図３には、心電図解析レポートの一例として、「正常」との所見に基づく心電図解析レポートが示されているが、上記心電図解析レポート作成処理においては、他の所見に基づく心電図解析レポートの作成も可能である。
【００３５】
図４、図５、図６、図７及び図８はそれぞれ、心電図解析レポートの他の例を示す図である。
【００３６】
図４、図５、図６、図７及び図８にそれぞれ示す例では、対応する所見に基づき、概観図１７１ｂ、１７１ｃ、１７１ｄ、１７１ｅ、１７１ｆ、前面図１７２ｂ、１７２ｃ、１７２ｄ、１７２ｅ、１７２ｆ及び水平面図１７３ｂ、１７３ｃ、１７３ｄ、１７３ｅ、１７３ｆが、表示される。
【００３７】
図４に示された概観図１７１ｂ、前面図１７２ｂ及び水平面図１７３ｂは、記憶部１０５に記憶された心臓イラストデータの中から、「ＷＰＷ症候群（Ａ型）」との所見を描写したものとして選択されたものに対応する。この例では、前面図１７２ｂ及び水平面図１７３ｂの表示態様が、「正常」との所見に基づく前面図１７２ａ及び水平面図１７３ａの表示態様と相違している。
【００３８】
図５に示された概観図１７１ｃ、前面図１７２ｃ及び水平面図１７３ｃは、記憶部１０５に記憶された心臓イラストデータの中から、「右胸心」との所見を描写したものとして選択されたものに対応する。この例では、概観図１７１ｃ、前面図１７２ｃ及び水平面図１７３ｃの表示態様が、「正常」との所見に基づく概観図１７１ａ、前面図１７２ａ及び水平面図１７３ａの表示態様と相違している。
【００３９】
図６に示された概観図１７１ｄ、前面図１７２ｄ及び水平面図１７３ｄは、記憶部１０５に記憶された心臓イラストデータの中から「急性の前壁梗塞」「急性の側壁梗塞」「亜急性の下壁梗塞」「高位後壁梗塞の可能性」との所見を描写したものとして選択されたものに対応する。この例では、概観図１７１ｄ、前面図１７２ｄ及び水平面図１７３ｄの表示態様が、「正常」との所見に基づく概観図１７１ａ、前面図１７２ａ及び水平面図１７３ａの表示態様と相違している。
【００４０】
図７に示された概観図１７１ｅ、前面図１７２ｅ及び水平面図１７３ｅは、記憶部１０５に記憶された心臓イラストデータの中から「左室肥大」との所見を描写したものとして選択されたものに対応する。この例では、概観図１７１ｅ、前面図１７２ｅ及び水平面図１７３ｅの表示態様が、「正常」との所見に基づく概観図１７１ａ、前面図１７２ａ及び水平面図１７３ａの表示態様と相違している。
【００４１】
図８に示された概観図１７１ｆ、前面図１７２ｆ及び水平面図１７３ｆは、記憶部１０５に記憶された心臓イラストデータの中から「心房細動」との所見を描写したものとして選択されたものに対応する。この例では、前面図１７２ｆの表示態様が、「正常」との所見に基づく前面図１７２ｆの表示態様と相違している。
【００４２】
このように、本実施の形態において、心臓イラストの表示態様は所見に応じて変更される。これにより、心疾患の実体を視覚によって被検者に伝えることができる。また、本実施の形態において、前面図１７２ａ〜１７２ｆ及び水平面図１７３ａ〜１７３ｆは、心臓の断面を示す。これにより、心臓の内部に異常部位が存在する場合に、これを視覚化することができる。
【００４３】
以上説明したように、本実施の形態によれば、心電図解析レポートの所見表示部においては、所見と共に心臓の概観図を表示し、心電図解析レポートの波形表示部においては、四肢誘導波形（I誘導、II誘導、III誘導、aVL誘導、aVR誘導及びaVF誘導の波形）と組み合わせて心臓の前面図を、胸部誘導波形（V1誘導、V2誘導、V3誘導、V4誘導、V5誘導及びV6誘導の波形）と組み合わせて心臓の水平面図を、それぞれ表示するため、心臓の状態についての立体的な特徴を心電図波形と心臓イラストとの併用によって視覚化することができ、医師にとっても理解しやすく、ひいては被検者にも心疾患を実体的に把握させることができる心電図解析レポートを提供することができる。
【００４４】
以上、本発明の実施の形態について説明した。なお、以上の説明は本発明の好適な実施の形態の例証であり、本発明の範囲はこれに限定されない。つまり、上記装置の構成及び動作等についての説明は一例であり、本発明の範囲においてこれらの例に対する様々な変更や追加が可能であることは明らかである。
【００４５】
例えば、心電図解析レポートの表示フォーマットに関して、本実施の形態では、表示面１５０において、所見表示部１６１と波形表示部１６２とを上下に配置し、さらに波形表示部１６２においては、四肢誘導波形表示部１６３と胸部誘導波形表示部１６４とを左右に並置し、これらの下側の横長部分に横長のリズム波形１７４を配置している。このようなフォーマットは、ユーザである医師のニーズに応じて、適宜変更することができる。
【００４６】
また、心臓イラストデータに関して、本実施の形態では、記憶部１０５に予め記憶された多数の心臓イラストデータの中から、所見に応じて適切なものが読み出され描画されているが、所見に応じて適切な心臓イラストデータを制御部１０１において生成してもよい。
【００４７】
また、心臓の前面図及び水平面図に関して、本実施の形態では、前面図１７２ａ〜１７２ｆ及び水平面図１７３ａ〜１７３ｆは、心臓の断面を示しているが、心臓の外観を示すものであってもよい。
【００４８】
また、心臓の概観図、前面図及び水平面図に関して、本実施の形態では、心臓のイラストを用いているが、心臓の写真等を用いてもよい。また、これらはいずれも白黒であってもカラーであってもよい。
【００４９】
また、本実施の形態では、標準１２誘導心電図の解析を例にとり、四肢誘導波形（I誘導、II誘導、III誘導、aVL誘導、aVR誘導及びaVF誘導の波形）と組み合わせて心臓の前面図を、胸部誘導波形（V1誘導、V2誘導、V3誘導、V4誘導、V5誘導及びV6誘導の波形）と組み合わせて心臓の水平面図を、１画面又は１枚の用紙に表示する場合を説明したが、本発明は、他の心電図の解析結果を表示する場合にも適用可能である。例えば、被検者から取得された心電図波形を、ベクトル心電図に倣って、Ｘ軸方向誘導の波形、Ｙ軸方向誘導の波形及び軸方向誘導の波形に分類することができる場合には、Ｘ軸方向誘導及びＹ軸方向誘導の波形と組み合わせて心臓の前面図を、Ｘ軸方向誘導及びＺ軸方向誘導の波形と組み合わせて心臓の水平面図を、Ｙ軸方向誘導及びＺ軸方向誘導の波形と組み合わせて心臓の側面図（側方から見た心臓の断面を表す図）を、１画面又は１枚の用紙に表示してもよい。この場合、波形と前面図との組合せ、波形と水平面図との組合せ及び波形と側面図との組合せのうち、二つ又は三つの組合せを表示することにより、上記実施の形態と同様、心疾患の実体的な把握を実現することができる。また、標準１２誘導心電図の場合と同様、所見に応じて心臓の表示態様を変更することも当然に可能である。
【図面の簡単な説明】
【００５０】
【図１】本発明の一実施の形態に係る心電図解析装置の構成を示すブロック図
【図２】本発明の一実施の形態に係る心電図解析レポート作成処理を説明するためのフロー図
【図３】本発明の一実施の形態に係る心電図解析レポートの第１の例を示す図
【図４】本発明の一実施の形態に係る心電図解析レポートの第２の例を示す図
【図５】本発明の一実施の形態に係る心電図解析レポートの第３の例を示す図
【図６】本発明の一実施の形態に係る心電図解析レポートの第４の例を示す図
【図７】本発明の一実施の形態に係る心電図解析レポートの第５の例を示す図
【図８】本発明の一実施の形態に係る心電図解析レポートの第６の例を示す図
【符号の説明】
【００５１】
１００  心電図解析装置
１０１  制御部
１０２  ディスプレイＩ／Ｆ
１０３  プリンタＩ／Ｆ
１０４  心電図Ｉ／Ｆ
１０５  記憶部
１２０  ディスプレイ
１３０  プリンタ
１４０  心電計
【図１】
0005485515.tif 000002
【図２】
0005485515.tif 000003
【図３】
0005485515.tif 000004
【図４】
0005485515.tif 000005
【図５】
0005485515.tif 000006
【図６】
0005485515.tif 000007
【図７】
0005485515.tif 000008
【図８】
0005485515.tif 000009